(57)【特許請求の範囲】
【請求項１】
監視用ビデオカメラの埋め込み金具の機構であって、前記埋め込み金具を天井または壁に固定する金具本体部を設け、前記金具本体部の内側に、カメラを装着し固定させた状態で引き出すことを可能にしたスライド部を設け、画角調整時にカメラ本体に用意されている映像出力端子に、映像出力用ケーブルを接続する際、ライトアングル型ケーブル特有の突起部分の大きさに基づいて、前記埋め込み金具本体部および前記スライド部に空間を用意したことを特徴とする監視用ビデオカメラの埋め込み金具機構。
【請求項２】
監視用ビデオカメラの埋め込み金具の機構であって、前記埋め込み金具を天井または壁に固定する金具本体部を設け、前記金具本体部の内側に、カメラを装着し固定させた状態で引き出すことを可能にしたスライド部を設け、前記金具本体部および前記スライド部に、スライド部の引き出し長の許容位置を決めるストッパー部を設け、前記金具本体部および前記スライド部に、スライド部を金具本体部に収納した際に固定させる固定部を設けることを特徴とする監視用ビデオカメラの埋め込み金具機構。
【請求項３】
請求項２に記載の監視用ビデオカメラの埋め込み金具の機構であって、画角調整時にカメラ本体に用意されている映像出力端子に、映像出力用ケーブルを接続する際、ライトアングル型ケーブル特有の突起部分の大きさに基づいて、前記埋め込み金具本体部および前記スライド部に空間を用意したことを特徴とする監視用ビデオカメラの埋め込み金具機構。
【請求項４】
請求項１または２に記載の監視用ビデオカメラの埋め込み金具の機構であって、前記埋め込み金具本体部に、天井板または壁板を本体部と挟み込むことで固定することが可能な挟み込み機構を有している場合に、前記埋め込み金具本体部および前記スライド部に人間の指が入る大きさの穴を用意したことを特徴とする監視用ビデオカメラの埋め込み金具機構。
【請求項５】
請求項４に記載の監視用ビデオカメラの埋め込み金具の機構であって、前記挟み込み機構に、本体壁面部分へ確実に固定するためのロック爪機構を設けたことを特徴とする監視用ビデオカメラの埋め込み金具機構。
【請求項６】
請求項５に記載の監視用ビデオカメラの埋め込み金具の機構であって、前記挟み込み機構のロック爪機構に、たわみを吸収するスリットを設けたことを特徴とする監視用ビデオカメラの埋め込み金具機構。
【発明の詳細な説明】
【技術分野】
【０００１】
本発明は、監視用ビデオカメラを天井や壁に埋め込んで設置する際に使用する埋め込み金具の機構に関するものである。
【背景技術】
【０００２】
従来の監視用ビデオカメラを天井や壁などに埋め込む場合は、まず天井や壁などに埋め込み金具を挿入できる大きさの穴を開け、そこに埋め込み金具を挿入し確実に固定させたのち、カメラを埋め込み金具に固定させ、次にレンズのズーム機能や、カメラの角度調整機能を用いて最適となる画角の決定を行っている。画角調整が終了した後、カメラ前面を保護あるいは目立たせないためのドームクリアを装着しカメラの設置が終了する。カメラ本体へのドームクリア部分の装着方法はネジによる固定が一般的であるが、その際、ネジの挿入向きはカメラ本体や天井や壁などの面に対し垂直の向きであるため、特に問題なく行うことが出来る。
【０００３】
カメラ本体と埋め込み金具の取付け方法については、各種の提案がなされている。非特許文献１では、まず埋め込み金具を天井や壁などに取り付けた後、カメラのドームカバーを外した状態で設置し、画角の調整を行った後、ドームカバー装着する方法が開示されている。
【０００４】
【非特許文献１】東芝株式会社  取付金具  JK−K137D  取扱説明書
【発明の開示】
【発明が解決しようとする課題】
【０００５】
非特許文献１のように、既に天井や壁などに埋め込まれた埋め込み金具に、ドームカバーが外された状態のカメラが設置され、レンズのズーム機能や、カメラの角度調整機能を用いて画角調整を行った後、カメラ本体や埋め込み金具を動かすことなくドームカバーを装着出来るのは、カメラ本体や天井や壁などの面に対し垂直の向きにネジを止めることが可能な面積をカメラ本体が有しているためである。しかしながら、いたずら防止の目的や、カメラ本体に垂直にネジ止めするだけの十分な面積を確保できないような小型カメラなど、カメラ本体側面にドームカバーの着脱機構を有している場合に、従来と同じ順序での画角調整を行うことが困難になり、画角を修正する度にカメラを埋め込み金具から外したり、あるいは埋め込み金具ごと天井や壁などから外したりする作業が発生し時間を要する。
【０００６】
本発明の目的は、いたずら防止の目的や、カメラ本体に垂直にネジ止めするだけの十分な面積を確保できないような小型カメラなど、カメラ本体側面にドームカバーの着脱機構を有している場合などにおいても、従来と同じ順序でカメラの設置および画角調整を行うことが出来る作業性の良い監視用ビデオカメラの埋め込み金具機構を提供することにある。
【課題を解決するための手段】
【０００７】
本発明は、監視用ビデオカメラの埋め込み金具の機構であって、前記埋め込み金具を天井や壁などに固定する金具本体部を設け、前記金具本体部の内側に、カメラを装着し固定させた状態で引き出すことを可能にしたスライド部を設ける。
【０００８】
また、前記埋め込み金具を天井や壁などに固定する金具本体部を設け、前記金具本体部の内側に、カメラを装着し固定させた状態で引き出すことを可能にしたスライド部を設け、前記金具本体部および前記スライド部に、スライド部の引き出し長の許容位置を決めるストッパー部を設け、前記金具本体部および前記スライド部に、スライド部を金具本体部に収納した際に固定させる固定部を設ける。
【０００９】
詳細には、上記目的を達成するため、本発明は、特許請求の範囲に記載の構成とする。
【発明の効果】
【００１０】
本発明によれば、カメラ本体側面にドームカバーの着脱機構を有しているカメラの埋め込み設置作業が簡単で短時間で作業ができる。また、画角を修正する場合にも簡単に作業を行うことが出来る。
【００１１】
上記以外の課題、手段、効果は、後述する実施例によって明らかにされる。
【発明を実施するための最良の形態】
【００１２】
以下、本発明の実施の形態を図面を用いて説明する。
【００１３】
図１は、本発明にかかる監視用ビデオカメラの埋め込み金具機構の一実施例を示す図で
ある。図１（ａ）は監視用ビデオカメラの埋め込み金具機構を斜め上から見た図を、図１（ｂ）は斜め上の別角度から見た図を、図１（ｃ）は斜め下から見た図をそれぞれ示している。埋め込み金具は本体部１とスライド部２から成っている。本体部１は主に天井や壁などに固定する機構と、スライド部２を保持する役割を持っている。天井や壁などに固定するには、まず天井や壁などに本体部１が挿入可能な穴を開け、そこに埋め込み金具を挿入する。このとき、穴の大きさは、本体部１が挿入できるが、挟み込み土台部１ｄが挿入できない大きさとする。次に、挟み込み高さ調整ネジ部１ｇを回していくと、挟み込み高さ調整ネジ支柱部１ｂに取り付けてある挟み込み羽根部１ｅが、挟み込み羽根ストッパー部１ｃに当たるまで回転する。挟み込み羽根部１ｅが、挟み込み羽根ストッパー部１ｃに当たった後も、挟み込み高さ調整ネジ部１ｇを回していくと、挟み込み羽根部１ｅは挟み込み土台部１ｄの方向に徐々に下がっていき、挟み込み土台部１ｄとの間に天井や壁などを挟み込む機構となっている。なおこの際、挟み込み羽根部１ｅには、羽根回転加速バネ部１ｊ（図４（ｂ））により挟み込み羽根ストッパー部１ｃ側に押し付ける力が加わっているため、挟み込み高さ調整ネジ部１ｇを回すと、挟み込み羽根部１ｅは直ぐに、そして確実に挟み込み羽根ストッパー部１ｃに当たるため、天井や壁などを挟み込む時間を短縮する効果がある。スライド部２は、本体部１のスライド部固定部１ｆおよびスライド部収納固定ネジ穴部２ｃをネジにて固定することで本体部１に収納固定されている。スライドさせて引き出す場合は、前述の固定用ネジを外し、スライド部２を下に引き出すと、引き出しストップネジ部２ｂが、本体部１の引き出しストップ受け部１ａにあたり、あらかじめ設定してある任意の長さまで引き出すことが出来る。
【００１４】
図２は、本発明にかかる監視用ビデオカメラの埋め込み金具機構にカメラを設置した一実施例を示す図である。図２（ａ）はスライド部２にドームカバーを装着したカメラを
装着した図である。図２（ｂ）はスライド部２にドームカバーを外したカメラを装着した図である。装着するカメラは、いたずら防止の目的や、カメラ本体に垂直にネジ止めするだけの十分な面積を確保できないような小型カメラなど、カメラ本体側面にドームカバーの着脱機構を有しているカメラとした。カメラ部３を、スライド部２に用意されたカメラ取付ネジ穴部２ａにネジで固定した状態でドームカバー３ａを着脱するには、ドームカバー側面に用意されたドームカメラ着脱機構部３ｂをカメラ部３内部に押し込みながら、ドームカバー部３ａを任意の方向に回転させることにより行う。画角調整は、ドームカバー部３ａを外した状態で、画角調整機構部３ｃを調整することにより行う。その際、映像出力端子部３ｄに映像出力ケーブル４（図３（ａ））を接続し、手元に用意したＴＶなどのモニタに出力することで、モニタの映像を確認しながらカメラの画角を調整することが可能である。
【００１５】
上記のように、スライド機構を持った埋め込み金具を用いることで、カメラ本体側面にドームカバーの着脱機構があるカメラなどにおいても、天井または壁などに埋め込み金具を固定した後に、埋め込み金具を外したり動かしたりすること無く、カメラに備わっている画角調整機構のみを用いて画角調整を行うことが容易となる。
【００１６】
図３は、埋め込み金具に装着したカメラに映像出力ケーブルを接続する一実施例を示す図である。図３（ａ）は市販の映像出力ケーブル４の一例である。図３（ｂ）は、埋め込み金具にカメラを取り付けて、スライド部２を引き下げた状態において、図２（ｂ）の映像出力端子部３ｄに、図３（ａ）の映像出力ケーブル４を接続した図である。図３（ｃ）は、図３（ｂ）において接続した状態のまま、スライド部２を収納した図である。特に小型のドームカメラにおいては、映像出力端子部３ｄを、天井や壁などの面に対し垂直の向きに設けるスペースが無く、図２（ｂ）のように天井や壁などの面に対し水平の向きに設けざるを得ない場合があるため、図３（ａ）のような映像出力ケーブルを映像出力端子部３ｄに接続した状態でスライド部の引き出し・収納が行えるようあらかじめスペースを確保しておくことで、画角調整同様に、天井または壁などに埋め込み金具を固定した後に、埋め込み金具を外したり動かしたりすること無く、映像出力ケーブルの抜き差しを行うことが容易となる。
【００１７】
図４は、挟み込み羽根部１ｅを収納する一実施例を示す図である。図４（ａ）は、本体部１のうち、挟み込み羽根部１ｅ周辺の拡大図である。図４（ｂ）は、挟み込み羽根部１ｅそのものの拡大図である。カメラの解約やリプレースなどの理由で、埋め込み金具ごと天井や壁などから取り外す必要が生じた場合、カメラ取付ネジ穴部２ａにカメラを固定していたネジを取り外すことでカメラを取り外したのち、挟み込み高さ調整ネジ部１ｇを緩める方向に回すことで、挟み込み羽根部１ｅと挟み込み土台部１ｄによって天井や壁などを挟み込んでいた力を弱め、埋め込み金具本体部１を取り外す。このとき、挟み込み羽根部１ｅには、羽根回転加速バネ部１ｊにより、挟み込み羽根ストッパー部１ｃに押し付ける力が加わっているため、挟み込み高さ調整ネジ部１ｇを緩めただけでは、取り外しに時間を要する。従って、挟み込み羽根部１ｅを強制的に収納する機構を設けることで取り外し作業を容易にする機構を設ける。まず、挟み込み羽根部１ｅを収納する側の本体部１側面に人間の指を挿入できるだけのスペースを空けておく。そこから指を挿入し、指先引っ掛け部１ｎに指を掛け、挟み込み羽根収納用ロック部１ｈの方向に回転させながら引張る。
次に、羽根収納用ロック爪部１ｋを、挟み込み羽根収納用ロック部１ｈに引っ掛けて確実に固定させる。こうすることで、挟み込み高さ調整ネジ部１ｇを少し緩めた状態でも挟み込みを解除でき取り外し時間を短縮することが出来る。なお、羽根収納用用ロック爪部たわみ吸収部１ｍとして示したスリットを、羽根収納用ロック爪部１ｋの形状に沿って備えることで、羽根収納用ロック爪部１ｋを挟み込み羽根収納用ロック部１ｈに引っ掛ける際、あるいは挟み込み羽根収納用ロック部１ｈから羽根収納用ロック爪部１ｋを外す際に、多少の応力が加わっても問題なく着脱出来るようにした。
【図面の簡単な説明】
【００１８】
【図１】本発明にかかる監視用ビデオカメラの埋め込み金具機構の一実施例を示す図。
【図２】本実施例の埋め込み金具機構にカメラを設置した一実施例を示す図。
【図３】金具に装着したカメラに映像出力ケーブルを接続する一実施例を示す図。
【図４】挟み込み羽根を収納するための機構の一実施例を示す図。
【符号の説明】
【００１９】
１…本体部
１ａ…引き出しストップ受け部
１ｂ…挟み込み高さ調整ネジ支柱部
１ｃ…挟み込み羽根ストッパー部
１ｄ…挟み込み土台部
１ｅ…挟み込み羽根部
１ｆ…スライド部固定穴部
１ｇ…挟み込み高さ調整ネジ部
１ｈ…挟み込み羽根収納用ロック部
１ｊ…羽根回転加速バネ部
１ｋ…羽根収納用ロック爪部
１ｍ…羽根収納用用ロック爪部たわみ吸収部
１ｎ…指先引っ掛け部
２…スライド部
２ａ…カメラ取付ネジ穴部
２ｂ…引き出しストップネジ部
２ｃ…スライド部収納固定用ネジ穴部
３…カメラ部
３ａ…ドームカバー部
３ｂ…ドームカバー着脱機構部
３ｃ…画角調整機構部
３ｄ…映像出力端子部(調整用)
４…映像出力ケーブル
【図１】
0004760784.tif 000002
【図２】
0004760784.tif 000003
【図３】
0004760784.tif 000004
【図４】
0004760784.tif 000005